【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
電源電圧を生成し、センサーデバイスに前記電源電圧を供給する電源回路と、
前記電源電圧に基づいて動作し、前記電源電圧により規定されるＡ／Ｄ変換範囲で、前記センサーデバイスからの検出信号に対応する信号についてのＡ／Ｄ変換を行うＡ／Ｄ変換器と、
前記電源電圧に基づいて動作するアナログフロントエンド回路と、
を含み、
前記検出信号は、
前記センサーデバイスが第１の物理量を検出して出力する、第１チャネル第１信号及び第１チャネル第２信号と、
前記センサーデバイスが第２の物理量を検出して出力する、第２チャネル第１信号及び第２チャネル第２信号と、
を含み、
前記アナログフロントエンド回路は、
前記第１チャネル第１信号と前記第２チャネル第１信号とが入力され、第１チャネル計測期間においては前記第１チャネル第１信号を出力し、第２チャネル計測期間においては前記第２チャネル第１信号を出力する第１マルチプレクサーと、
前記第１チャネル第２信号と前記第２チャネル第２信号とが入力され、前記第１チャネル計測期間においては前記第１チャネル第２信号を出力し、前記第２チャネル計測期間においては前記第２チャネル第２信号を出力する第２マルチプレクサーと、
前記第１マルチプレクサーからの信号と前記第２マルチプレクサーからの信号とが入力される増幅回路と、
を含むことを特徴とする集積回路装置。
【請求項２】
請求項１において、
前記第１チャネル第１信号と前記第１チャネル第２信号は、所定電圧レベルを基準に平衡な関係にある第１差動信号であり、
前記第２チャネル第１信号と前記第２チャネル第２信号は、所定電圧レベルを基準に平衡な関係にある第２差動信号であることを特徴とする集積回路装置。
【請求項３】
請求項１又は２において、
前記第１チャネル第１信号及び前記第１チャネル第２信号は、前記センサーデバイスが有する前記第１の物理量を検出する第１の物理量トランスデューサーからの信号を増幅して同期検波された信号であり、
前記第２チャネル第１信号及び前記第２チャネル第２信号は、前記センサーデバイスが有する前記第２の物理量を検出する第２の物理量トランスデューサーからの信号を増幅して同期検波された信号であることを特徴とする集積回路装置。
【請求項４】
請求項１乃至３のいずれか一項において、
前記検出信号は、前記センサーデバイスが第３の物理量を検出して出力する、第３チャネル第１信号及び第３チャネル第２信号を含み、
前記第１マルチプレクサーは、
前記第３チャネル第１信号が入力され、第３チャネル計測期間においては前記第３チャネル第１信号を出力し、
前記第２マルチプレクサーは、
前記第３チャネル第２信号が入力され、前記第３チャネル計測期間においては前記第３チャネル第２信号を出力することを特徴とする集積回路装置。
【請求項５】
請求項１乃至４のいずれか一項において、
前記Ａ／Ｄ変換器は、前記アナログフロントエンド回路よりも前記電源回路に近い位置にレイアウト配置されることを特徴とする集積回路装置。
【請求項６】
請求項１乃至５のいずれか一項において、
前記Ａ／Ｄ変換器は、前記増幅回路を介して入力される信号のＡ／Ｄ変換を行うことを特徴とする集積回路装置。
【請求項７】
請求項１乃至６のいずれか一項において、
前記電源回路は、
基準電圧を生成する基準電圧生成回路と、
生成された前記基準電圧に基づいて前記電源電圧を生成するレギュレーターとを含むことを特徴とする集積回路装置。
【請求項８】
請求項７において、
前記レギュレーターは、
前記電源電圧と前記電源電圧より低い電圧である低電位側電源電圧との間の電圧を分割し、電圧分割タップから出力する電圧分割回路と、
第１入力ノードに前記基準電圧が供給され、前記電圧分割タップからの電圧が第２入力ノードに供給される演算増幅器とを含むことを特徴とする集積回路装置。
【請求項９】
請求項８において、
前記電圧分割回路は、
複数の抵抗を有し、前記複数の抵抗の複数の電圧分割タップのそれぞれに分割電圧を出力するラダー抵抗回路と、
前記ラダー抵抗回路と直列に設けられ、抵抗値が可変の電源電圧設定用抵抗回路と、
前記ラダー抵抗回路の前記複数の電圧分割タップのうちの１つの電圧分割タップを電圧微調整用タップとして選択し、選択された前記電圧微調整用タップからの電圧を、前記演算増幅器の前記第２入力ノードに供給する第１選択回路とを含むことを特徴とする集積回路装置。
【請求項１０】
請求項９において、
前記電圧分割回路は、
前記ラダー抵抗回路の前記複数の電圧分割タップのうちの１つの電圧分割タップをアナロググランド用タップとして選択し、選択された前記アナロググランド用タップからのアナロググランド電圧を、前記アナログフロントエンド回路に対して供給する第２選択回路を含むことを特徴とする集積回路装置。
【請求項１１】
請求項１０において、
前記第２選択回路は、
前記複数の電圧分割タップの中から、前記電源電圧設定用抵抗回路での電源電圧の設定結果に応じた電圧分割タップを、前記アナロググランド用タップとして選択することを特徴とする集積回路装置。
【請求項１２】
請求項８又は９において、
前記レギュレーターは、
前記電圧分割回路のアナロググランド用タップからのアナロググランド電圧を、前記アナログフロントエンド回路に対して供給することを特徴とする集積回路装置。
【請求項１３】
請求項１２において、
前記アナログフロントエンド回路の前記増幅回路は、
前記アナロググランド電圧がＡ／Ｄ変換範囲のセンター電圧となる信号を前記Ａ／Ｄ変換器に出力することを特徴とする集積回路装置。
【請求項１４】
請求項１３において、
前記増幅回路は、
第１チャネル計測期間において、前記アナロググランド電圧に対して、前記第１チャネル第１信号と前記第１チャネル第２信号との差分に対応する電圧を加算した電圧信号を出力し、
第２チャネル計測期間において、前記アナロググランド電圧に対して、前記第２チャネル第１信号と前記第２チャネル第２信号との差分に対応する電圧を加算した電圧信号を出力することを特徴とする集積回路装置。
【請求項１５】
請求項１乃至１４のいずれか一項に記載の集積回路装置を含むことを特徴とする電子機器。
【請求項１６】
電源電圧を生成する電源回路と、
第１の物理量を検出する第１の物理量トランスデューサーと、
第２の物理量を検出する第２の物理量トランスデューサーと、
前記電源電圧に基づいて動作し、前記第１の物理量トランスデューサーからの信号に基づいて第１チャネル第１信号及び第１チャネル第２信号を出力し、前記第２の物理量トランスデューサーからの信号に基づいて第２チャネル第１信号及び第２チャネル第２信号を出力する回路と、
前記電源電圧に基づいて動作するＡ／Ｄ変換器と、
前記電源電圧に基づいて動作するアナログフロントエンド回路と、
を含み、
前記アナログフロントエンド回路は、
前記第１チャネル第１信号と前記第２チャネル第１信号とが入力され、第１チャネル計測期間においては前記第１チャネル第１信号を出力し、第２チャネル計測期間においては前記第２チャネル第１信号を出力する第１マルチプレクサーと、
前記第１チャネル第２信号と前記第２チャネル第２信号とが入力され、前記第１チャネル計測期間においては前記第１チャネル第２信号を出力し、前記第２チャネル計測期間においては前記第２チャネル第２信号を出力する第２マルチプレクサーと、
前記第１マルチプレクサーからの信号と前記第２マルチプレクサーからの信号とが入力される増幅回路と、
を含み、
前記Ａ／Ｄ変換器は、前記電源電圧により規定されるＡ／Ｄ変換範囲で、前記増幅回路からの信号についてＡ／Ｄ変換を行うことを特徴とする電子機器。